(57)【要約】  筐体１００と、前記筐体１００内に回転可能に設けられ、その周壁及び／又は底壁には、水出口２１１が設けられる回転槽２１０と、水受けトレイ４００であって、前記水受けトレイ４００は、前記筐体１００内に設けられ且つ少なくとも一部が前記回転槽２１０の下方に位置しており、前記水受けトレイ４００の側周壁が上に延びており且つ前記水出口２１１よりも高く、前記水受けトレイ４００の側周壁の上縁と前記回転槽２１０の外底面との間の高さの差が前記回転槽２１０の高さの半分よりも小さい水受けトレイと、を備える洗濯機１。
2020527403.tif 000002
【特許請求の範囲】
【請求項１】
筐体と、
前記筐体内に回転可能に設けられ、周壁及び／又は底壁に水出口が設けられる回転槽と、
水受けトレイであって、前記水受けトレイは、前記筐体内に設けられ且つ少なくとも一部が前記回転槽の下方に位置しており、前記水受けトレイの側周壁が上に延びており且つ前記水出口よりも高く、前記水受けトレイの側周壁の上縁と前記回転槽の外底面との間の高さの差が前記回転槽の高さの半分よりも小さい水受けトレイと、を備える、
ことを特徴とする洗濯機。
【請求項２】
前記水受けトレイ内には、水受槽を有し、前記水受槽の最下部には、排水口が設けられる、
ことを特徴とする請求項１に記載の洗濯機。
【請求項３】
前記水受槽の底壁面には、下方に凹む貯水槽が設けられる、
ことを特徴とする請求項２に記載の洗濯機。
【請求項４】
前記貯水槽の底壁面には、下方にさらに凹む排水溝が設けられ、前記排水口は、前記排水溝の底壁面に設けられる、
ことを特徴とする請求項３に記載の洗濯機。
【請求項５】
前記貯水槽は、前記水受槽の底壁面の外周縁に位置しており且つ前記水受槽の円周方向に沿って延びている、
ことを特徴とする請求項４に記載の洗濯機。
【請求項６】
導水カバーであって、前記導水カバーは、前記回転槽の内周壁面に設けられ且つ前記水出口をカバーするように設けられ、前記導水カバーには、給水口が設けられ、且つ前記給水口と前記水出口とを連通する導水キャビティを画定し、遠心力の作用により上昇した前記回転槽内の液体は、前記給水口から前記導水キャビティ内に入って前記水出口から前記水受けトレイに排出される導水カバーをさらに備える、
ことを特徴とする請求項１に記載の洗濯機。
【請求項７】
前記給水口は、前記導水カバーの上部に設けられ、前記水出口は、回転槽の周壁の下部に設けられる、
ことを特徴とする請求項６に記載の洗濯機。
【請求項８】
前記給水口は、前記導水カバーの上端に設けられ、前記水出口は、前記回転槽の底壁に隣接している、
ことを特徴とする請求項７に記載の洗濯機。
【請求項９】
前記水出口は、複数であり、前記回転槽の円周方向に沿って間隔をあけて設けられ、前記導水カバーは、複数であり、前記回転槽の円周方向に沿って間隔をあけて設けられ、各前記導水カバーは、少なくとも１つの対応する前記水出口をカバーするように設けられる、
ことを特徴とする請求項６に記載の洗濯機。
【請求項１０】
筐体と、
前記筐体内に回転可能に設けられ、周壁及び／又は底壁に水出口が設けられる回転槽と、
水受けトレイであって、前記水受けトレイは、前記筐体内に設けられ且つ少なくとも一部が前記回転槽の下方に位置しており、前記水受けトレイの側周壁が上に延びており且つ前記水出口よりも高く、前記水受けトレイの側周壁の上縁と前記回転槽の外底面との間の高さの差が前記回転槽の高さの半分よりも小さい水受けトレイと、
前記回転槽内に回転可能に設けられたパルセータと、を備える、
ことを特徴とする洗濯機。
【発明の詳細な説明】
【技術分野】
【０００１】
本発明は、電気製品製造の技術分野に関し、具体的に、洗濯機に関する。
【背景技術】
【０００２】
洗濯機技術の継続的な発展に伴い、洗濯機は、ますます大容量になり、洗濯機が徐々に大容量になりつつあるとともに、必然的に洗濯機の全体サイズの増大につながるため、体積が小さくて容量が大きな洗濯機を提供する必要がある。同時に、従来の洗濯機では、洗濯中に水が回転槽内と外槽内に分配され、つまり、外槽と回転槽との間にも水があるため、水の消費量が多くなり、水資源の無駄遣いをきたす。従来の洗濯機では、汚れが外槽と回転槽との間に残されやすく、それにより細菌が繁殖し、外槽と回転槽との間には、水があるため、洗剤の使用量も多くなり、洗剤の無駄遣いをきたし、コストの節約に有利ではない。
【発明の概要】
【発明が解決しようとする課題】
【０００３】
本発明は、関連技術における上記技術的問題の１つを少なくともある程度まで解決することを目的とする。このため、本発明は、洗濯機を提案し、該洗濯機は、単一の槽を備えた構造を採用し、容量が大きく、水を節約でき、汚れを防止でき、コストが低くなるだけでなく、使用される材料が少なく、空間利用率が高く、脱水効果に優れる。
【課題を解決するための手段】
【０００４】
本発明の第１態様の実施例によれば、洗濯機を提案し、前記洗濯機は、筐体と、前記筐体内に回転可能に設けられ、その周壁及び／又は底壁には、水出口が設けられる回転槽と、水受けトレイであって、前記水受けトレイは、前記筐体内に設けられ且つ少なくとも一部が前記回転槽の下方に位置しており、前記水受けトレイの側周壁が上に延びており且つ前記水出口よりも高く、前記水受けトレイの側周壁の上縁と前記回転槽の外底面との高さの差が前記回転槽の高さの半分よりも小さい水受けトレイと、を備える。
【０００５】
本発明の実施例に係る洗濯機は、外槽を設けておらず、回転槽のみを備えて、単一の槽構造に形成し、それにより容量を大きくし、水を節約し、汚れを防止し、コストを削減することができ、且つ水受けトレイと回転槽との高さ関係を設定することにより、水受けトレイの材料消費と占有空間を減少できるだけでなく、脱水プロセス中に水が水受けトレイから飛び散ることを避けることができる。
【０００６】
本発明のいくつかの特定の実施例によれば、前記水受けトレイ内には、水受槽を具備し、前記水受槽の最下部には、排水口が設けられる。
【０００７】
さらに、前記水受槽の底壁面には、下方に凹む貯水槽が設けられる。
【０００８】
さらに、前記貯水槽の底壁面には、下方にさらに凹む排水溝が設けられ、前記排水口は、前記排水溝の底壁面に設けられる。
【０００９】
さらに、前記貯水槽は、前記水受槽の底壁面の外周縁に位置しており且つ前記水受槽の円周方向に沿って延びている。
【００１０】
本発明のいくつかの特定の実施例によれば、前記洗濯機はさらに、導水カバーであって、前記導水カバーは、前記回転槽の内周壁面に設けられ且つ前記水出口をカバーするように設けられ、前記導水カバーには、給水口が設けられ且つそれによって前記給水口と前記水出口と連通する導水キャビティを画定し、遠心力の作用により上昇した前記回転槽内の液体は、前記給水口から前記導水キャビティ内に入って前記水出口から前記水受けトレイに排出される導水カバーを備える。
【００１１】
さらに、前記給水口は、前記導水カバーの上部に設けられ、前記水出口は、回転槽の周壁の下部に設けられる。
【００１２】
さらに、前記給水口は、前記導水カバーの上端に設けられ、前記水出口は、前記回転槽の底壁に隣接している。
【００１３】
さらに、前記水出口は、複数であって前記回転槽の円周方向に沿って間隔をあけて設けられ、前記導水カバーは、複数であって前記回転槽の円周方向に沿って間隔をあけて設けられ、各前記導水カバーは、少なくとも１つの対応する前記水出口をカバーするように設けられる。
【００１４】
本発明の第２態様の実施例によれば、洗濯機を提案し、前記洗濯機は、筐体と、前記筐体内に回転可能に設けられ、その周壁及び／又は底壁には、水出口が設けられる回転槽と、水受けトレイであって、前記水受けトレイは、前記筐体内に設けられ且つ少なくとも一部が前記回転槽の下方に位置しており、前記水受けトレイの側周壁が上に延びており且つ前記水出口よりも高く、前記水受けトレイの側周壁の上縁と前記回転槽の外底面との高さの差が前記回転槽の高さの半分よりも小さい水受けトレイと、前記回転槽内に回転可能に設けられるパルセータと、を備える。
【００１５】
本発明の実施例に係る洗濯機は、単一の槽構造を採用し、それにより容量を大きくし、水を節約し、汚れを防止し、コストを削減することができ、且つ脱水効果を確保でき、水受けトレイと回転槽との高さ関係を設定することにより、水受けトレイの材料消費と占有空間を減少できるだけでなく、脱水プロセス中に水が水受けトレイから飛び散ることを避けることができる。
【図面の簡単な説明】
【００１６】
本発明の上記及び／又は追加の態様及び利点は、以下の図面を参照して実施例を説明することにより、明らかになり、容易に理解される。
【図１】本発明の実施例に係る洗濯機の断面図である。
【図２】本発明の実施例に係る洗濯機の一部の構造を示す模式図である。
【図３】本発明の実施例に係る洗濯機的一部の構造を示す断面図である。
【図４】本発明の実施例に係る洗濯機の水受けトレイの構造を示す模式図である。
【図５】本発明の実施例に係る洗濯機の水受けトレイの断面図である。
【図６】本発明の実施例に係る洗濯機の回転槽の構造を示す模式図である。
【図７】本発明の実施例に係る洗濯機の回転槽の断面図である。
【発明を実施するための形態】
【００１７】
以下、本発明の実施例について詳細に説明し、前記実施例の例は、図面に示されており、最初から最後まで同じ又は類似の符号は、同じ又は類似の素子又は同じ又は類似の機能を有する素子を示す。以下では図面を参照して説明する実施例は、例示であり、本発明を説明するためにのみ使用され、本発明を限定するものとして解釈されるべきではない。
【００１８】
本発明の説明では、用語「上」、「下」、「縦」、「水平」、「頂部」、「底部」「内部」、「外部」、「軸方向」、「半径方向」及び「円周方向」などが示す方位又は位置関係は、図面に示される方位又は位置関係に基づくものであり、本発明を容易に説明し、説明を簡略化するためにのみ使用され、示された装置又は素子が特定の方位を有しなければならず、特定の方位で構築及び操作されなければならないことを示したり、暗示したりするものではないため、本発明を限定するものとして解釈されるべきではない。また、本発明の説明では、特に説明がない限り、「複数」とは、２つ以上を意味する。
【００１９】
なお、本発明の説明では、明確な規定と限定がない限り、用語「取り付け」、「連結」、「接続」は、広義的に理解されるべきである。たとえば、固定的な接続であってもよいし、取り外し可能な接続又は一体的な接続であってもよく、機械的接続であってもよいし、電気的接続であってもよく、直接的な接続であってもよいし、中間媒体を介した間接的な接続であってもよく、２つの素子の内部連通であってもよい。当業者にとって、特定の状況に基づいて本発明における上記用語の特定の意味を理解することができる。
【００２０】
以下、図面を参照しながら、本発明の実施例に係る洗濯機１を説明する。
【００２１】
図１〜図７に示すように、本発明の実施例に係る洗濯機１は、筐体１００、回転槽２００及び水受けトレイ４００を備える。
【００２２】
回転槽２００は、筐体１００内に回転可能に設けられ、回転槽２１０の周壁及び／又は底壁には、水出口２１１が設けられる。水受けトレイ４００は、筐体１００内に設けられ且つ少なくとも一部が回転槽２１０の下方に位置しており、水受けトレイ４００は、回転槽２００を支持するために使用され、ここでは、直接的な支持であってもよいし、間接的な支持であってもよい。回転槽２１０が回転脱水しているとき、回転槽２１０内の液体は、水出口２１から水受けトレイ４００に排出され、水受けトレイ４００から排出されることができる。水受けトレイ４００の側周壁は、上に延びており且つ水出口２１１よりも高く、水受けトレイ４００の側周壁の上縁と回転槽２１０の外底面Ａとの間の高さの差ｈは、前記回転槽の高さＨの半分よりも小さい（ｈ＜Ｈ／２）。
【００２３】
本発明の実施例に係る洗濯機１は、単一の槽構造を採用し、つまり、外槽を設置せずに回転槽２００のみを設け、このようにして、洗濯中に水が回転槽２００内にあるため、水をさらに節約し、構造を簡略化し、容量を増加させ、汚れと細菌の繁殖を減少させることができる。
また、水受けトレイ４００を設けることにより、且つ水受けトレイ４００の側周壁の上縁と回転槽２１０の外底面Ａとの間の高さの差ｈは、前記回転槽２１０の高さＨの半分よりも小さく、好ましくは、水受けトレイ４００の側周壁の上縁と回転槽２１０の外底面Ａとの間の高さの差ｈは、回転槽２１０の高さの１／１０〜１／３である。もちろん、これは、この範囲にのみ限定されるものではなく、水受けトレイ４００が水出口２１１から排出された水を収集できる限り、側周壁は、より低く設けられてもよいし、設けられなくてもよい。水受けトレイ４００は、従来の外槽と比較して、高さが大幅に低減され、占有する空間が小さくなると同時に、外槽カバーが省略されるため、使用される材料が大幅に削減され、コストが低減された。そして、回転槽２１０と筐体１００との間の隙間が大きく増加され、同じ体積の洗濯機１は、回転槽２１０の直径と高さを増加させることにより、容量をもっと大きくすることができる。
【００２４】
また、水受けトレイ４００の側周壁は、上に延びており且つ水出口２１１よりも高いため、脱水中、回転槽２１０内の液体は、水出口２１１から排出された後、水受けトレイ４００に完全に流れ込み、それにより水が回転槽２１０の下端から飛び散ることを避ける。
したがって、本発明の実施例に係る洗濯機１は、容量が大きく、水を節約でき、汚れを防止でき、コストが低く、使用される材料が少なく、空間利用率が高く、脱水効果が良いなどの利点を有する。
【００２５】
以下、本発明の特定の実施例に係る洗濯機１について図面を参照して説明する。
【００２６】
図１〜図７に示すように、本発明の実施例に係る洗濯機１は、筐体１００、回転槽２００、導水カバー２２０及び水受けトレイ４００を備える。
【００２７】
回転槽２１０は、筐体１００内に回転可能に設けられ、回転槽２１０の周壁及び／又は底壁には、水出口２１１が設けられ、導水カバー２２０は、回転槽２１０の内周壁面に設けられ、且つ導水カバー２２０は、水出口２１１をカバーするように設けられ、導水カバー２２０には、給水口２２１が設けられ、且つ導水カバー２２０は、給水口２２１と水出口２１１と連通する導水キャビティ２４０を画定する。遠心力の作用により上昇した回転槽２１０内の液体は、給水口２２１から導水キャビティ２４０内に入るとともに水出口２１１から水受けトレイ４００に排出される。
【００２８】
具体的には、洗濯機１は、脱水中に回転槽２１０が回転しており、つまり、導水カバー２２０が回転槽２１０とともに回転しており、遠心力の作用により回転槽２１０内の液体は、上に移動し、且つ給水口２２１から導水キャビティ２４０に入り、導水キャビティ２４０に入った液体は、導水カバー２２０によって水出口２１１に導かれ、且つ水出口２１１から水受けトレイ４００に排出される。
【００２９】
したがって、本発明の実施例に係る洗濯機１では、単一の槽を備えた構造を採用することに基づいて、回転槽２１０の内周壁面には、導水カバー２２０がさらに設けられ、且つ導水カバー２２０には、給水口２２１が設けられ、回転槽２１０の周壁及び／又は底壁には、水出口２１１が設けられるため、回転槽２１０内の水は、脱水中に遠心力の作用により上昇し、且つ給水口２２１から導水カバー２２０内に入り、導水カバー２２０によって導かれて水出口２１１に流れ、それにより水出口２１１から排出される。これにより、外槽を省略して構造を簡略化し、容量を増加させ、汚れと細菌の繁殖を減少させ、水を節約した上で、脱水効果を同時に向上させることができる。
【００３０】
また、導水カバー２２０は、回転槽２１０に接続され、脱水プロセス中に水を導くことを実現するように、筐体１００に追加の構造に設けたり、筐体１００を内部と外部の二重層構造に設けたりする必要がないため、筐体１００の材料選択は、制限されなくなる。たとえば、板金などの材料を採用でき、それにより外観を大幅に改善できる。
【００３１】
水出口２１１は、回転槽２１０の周壁に設けられてもよいし、回転槽２１０の底壁に設けられてもよく、又は水出口２１１は、周壁と底壁に設けられる。具体的には、水出口２１１は、回転槽２１０の周壁に設けられ、導水カバー２２０は、水出口２１１をカバーするように設けられ、且つ導水カバー２２０の下端は、回転槽２１０の周壁にのみ接続され、これは、導水カバー２２０と回転槽２１０の周壁との間の密閉に有利である。もちろん、本発明の水出口２１１は、回転槽２１０の底壁にも設けられてもよく、導水カバー２２０は、水出口２１１をカバーするように設けられ、これは、脱水中の脱水効率を向上させるのに有利であり、脱水効果が良く、且つ水出口２１１からの水の飛散を効果的に減少させることができる。水出口２１１は、周壁と底壁に設けられることにより、導水カバー２２０と回転槽２１０の周壁との間の密閉に有利であるとともに、脱水中の脱水効率を向上させるのに有利であり、且つ水出口２１１からの水の飛散を効果的に防ぐことができる。
【００３２】
したがって、本発明の実施例に係る洗濯機１は、容量が大きく、水を節約でき、汚れを防止でき、コストが低く、脱水効果が良く、外観が美しく、密閉に有利であるなどの利点を有する。
【００３３】
ここで、水受けトレイ４００内には、水受槽４１０が設けられてもよく、且つ水受槽４１０の最下部には、排水のための排水口が設けられてもよく、水受けトレイ４００には、排水口が設けられず、導管などを採用して水受槽４１０内の水を導出してもよい。
【００３４】
本発明のいくつかの特定の実施例では、図４及び図５に示すように、水受槽４１０の底壁面には、下方に凹む貯水槽４３０が設けられる。これにより、脱水中に衣類から出てくる水のための十分な緩衝空間を確保し、水受けトレイ４００内の水面を回転槽２１０の下に保持することができ、それにより水受けトレイ４００内の水とバブルが回転槽２１０によって回転駆動されて、水受けトレイ４００の側周壁の上縁から溢れることを防ぐことができる。
【００３５】
さらに、図４及び図５に示すように、貯水槽４３０の底壁面には、下方にさらに凹む排水溝４４０が設けられ、排水口４２０は、排水溝４４０の底壁面に設けられるため、水受けトレイ４００内の水が溢れることをさらに防ぐことができるだけでなく、排水口４２０を水受槽４１０の最下部に設けてもよく、それにより排水しやすくなって排水の効果を向上させる。
【００３６】
具体的には、図４及び図５に示すように、貯水槽４３０は、水受槽４１０の底壁面の外周縁に位置しており且つ水受槽４１０の円周方向に沿って延びており、たとえば、リング状に延びているため、貯水槽４３０内の水は、回転する水流に形成して排水溝４４０からスムーズに排出されることができないことを避けることができ、それにより水受けトレイ４００内の水は、水位が上昇して水受けトレイ４００の側周壁の上縁から溢れることをさらに防ぐことができる。
【００３７】
本発明のいくつかの特定の例では、図１〜図３、図６及び図７に示すように、回転槽２１０の周壁は、回転槽２１０の中心軸線に平行に設けられ、導水カバー２２０は、回転槽２１０の側壁に平行に設けられ且つ上下方向に沿って延びている。言い換えれば、回転槽２１０の内径は、上下方向の至る所で等しく、回転槽２１０の外径は、上下方向の至る所で等しい。ここでは、上記の至る所で等しいものは、ほぼ等しいことを意味し、回転槽２１０にはいくつかの凹凸構造が設けられることを排除しないことを理解されたい。言い換えれば、回転槽２１０は、大体円筒形である。
【００３８】
本発明のいくつかの特定の実施例では、図１〜３及び図６〜７に示すように、給水口２２１は、導水カバー２２０の上部に設けられ、水出口２１１は、回転槽２１０の周壁の下部に設けられる。ここでは、導水カバー２２０の上部とは、導水カバー２２０の上下方向の中央より上の部分を指し、回転槽２１０の下部とは、回転槽２１０の上下方向の中央より下の部分を指すことを理解できる。これにより、脱水時に、回転槽２１０は、回転し、回転槽２１０内の水が、遠心力の作用により上昇し、導水カバー２２０の上部に位置する給水口２２１は、上昇した水をよりよく収集でき、この部分の水が、給水口２２１から導水カバー２２０内に入り、且つ導水カバー２２０の案内により回転槽２１０の下部の水出口２１１に流れ、それにより脱水効率と浄化効果をさらに向上させる。
【００３９】
さらに、給水口２２１は、導水カバー２２０の上端に設けられ、遠心力の作用により回転槽２１０内の回転槽２１０の上端まで上昇した液体は、さらに容易に収集される。水出口２１１は、回転槽２１０の周壁に設けられ且つ回転槽２１０の底壁に隣接しており、水出口２１１は、回転槽２１０の底壁から所定の距離を離間しており、これにより、導水カバー２２０と回転槽２１０の周壁との密閉が容易になり、且つ水受けトレイ４００の側壁の高さを下げてもよく、それにより使用される材料を節約し、コストを削減できる。
【００４０】
さらに、図１、図３、図６及び図７に示すように、洗濯機１の排水効果を向上させるために、水出口２１１は、複数であり、複数の水出口２１１は、回転槽２１０の円周方向に沿って等間隔に設けられ、導水カバー２２０は、複数であり、複数の導水カバー２２０は、回転槽２１０の円周方向に沿って等間隔に設けられ、各導水カバー２２０は、少なくとも１つの対応する水出口２１１をカバーするように設けられる。たとえば、水出口２１１は、２つであり、回転槽２１０の半径方向に対向して設けられ、導水カバー２２０は、２つであり、回転槽２１０の半径方向に対向して設けられ、２つの導水カバー２２０は、それぞれ１つずつ２つの水出口２１１をカバーするように設けられる。
【００４１】
図１〜図７に示すように、本発明の実施例に係る洗濯機１は、筐体１００、回転槽２１０、水受けトレイ４００及びパルセータ３００を備える。
【００４２】
回転槽２１０は、筐体１００内に回転可能に設けられ、回転槽２１０の周壁及び／又は底壁には、水出口２１１が設けられ、導水カバー２２０は、回転槽２１０の内周壁面に設けられ、且つ導水カバー２２０は、水出口２１１をカバーするように設けられ、導水カバー２２０には、給水口２２１が設けられ、且つ導水カバー２２０は、給水口２２１と水出口２１１と連通する導水キャビティ２４０を画定する。遠心力の作用により上昇した回転槽２１０内の液体は、給水口２２１から導水キャビティ２４０内に入って水出口２１１から水受けトレイ４００に排出される。パルセータ３００は、回転槽２１０内に回転可能に設けられる。
【００４３】
本発明の実施例に係る洗濯機１は、単一の槽を備えた構造を採用し、それにより容量を増加させ、水を節約し、汚れを防止し、コストを削減することができ、そして、脱水効果を確保できるだけでなく、水受けトレイの材料消費と占有空間を減少させることができ、脱水プロセス中に水が水受けトレイから飛び散ることを避けることができる。
【００４４】
本発明の実施例に係る洗濯機１の他の構造と操作は、当業者にとって公知であるため、ここでは、詳細に説明しない。
【００４５】
本明細書の説明では、「一実施例」、「いくつかの実施例」、「例示的な実施例」、「例」、「特定の例」又は「いくつかの例」などの参照用語に関する説明は、該実施例又は例を参照して説明する特定の特徴、構造、材料又は特性が、本発明の少なくとも１つの実施例又は例に含まれることを意味する。本明細書では、上記用語の例示的な表現は、必ずしも同じ実施例又は例を指すものではない。そして、説明された特定の特徴、構造、材料又は特性は、任意の１つ又は複数の実施例又は例において適切な方法で組み合わせることができる。
【００４６】
本発明の実施例をすでに示して説明したが、当業者は、本発明の原理および精神から逸脱することなく、これらの実施例に対して様々な変更、修正、置換及び変形を行うことができ、本発明の範囲が、請求項及びその均等物によって定義されると理解できる。
【符号の説明】
【００４７】
洗濯機１
筐体１００
回転槽２１０
水出口２１１
導水カバー２２０
給水口２２１
導水キャビティ２４０
パルセータ３００
水受けトレイ４００
水受槽４１０
排水口４２０
貯水槽４３０
排水溝４４０
回転槽の外底面Ａ
【図１】
2020527403.tif 000003
【図２】
2020527403.tif 000004
【図３】
2020527403.tif 000005
【図４】
2020527403.tif 000006
【図５】
2020527403.tif 000007
【図６】
2020527403.tif 000008
【図７】
2020527403.tif 000009
【国際調査報告】
2020527403.tif 000010
2020527403.tif 000011
2020527403.tif 000012
2020527403.tif 000013